(57)【要約】【課題】  本体にスピーカを設けなくても、テレビ放送の視聴を可能とする携帯用テレビ装置を提供することにある。【解決手段】  字幕放送を伴ったテレビ放送の受信機能を有し、ヘッドホンを接続することにより音声を聞く携帯用電子機器において、ヘッドホンの接続の有無を検出するヘッドホン接続検出手段と、このヘッドホン接続検出手段で、ヘッドホンの未接続を検出した場合、字幕放送のデータを映像信号のデータに合成する映像合成手段と、この映像合成手段で合成された映像を表示する表示手段とを具備することを特徴とする。【選択図】      図１
2008011209.tif 000002
【特許請求の範囲】
【請求項１】
字幕放送を伴ったテレビ放送の受信機能を有し、ヘッドホンを接続することにより音声を聞く携帯用電子機器において、
ヘッドホンの接続の有無を検出するヘッドホン接続検出手段と、
このヘッドホン接続検出手段で、ヘッドホンの未接続を検出した場合、字幕放送のデータを映像信号のデータに合成する映像合成手段と、
この映像合成手段で合成された映像を表示する表示手段と
を具備することを特徴とする携帯用電子機器。
【発明の詳細な説明】
【技術分野】
【０００１】
本発明は、テレビ放送波の受信機能を有し、本体にスピーカを持たない、または特定の状態に時にスピーカが使えなくなる機器において、ヘッドホンを接続して音声を聞くことができる携帯電子機器に関する。
【背景技術】
【０００２】
近年放送が開始された、地上波デジタルテレビジョン放送では、一般のテレビ受信機向けの放送波の他に、携帯電話等のモバイル機器向けのテレビ放送として、放送波の１つのセグメントを利用した、いわゆるワンセグ放送も開始されている。
【０００３】
このワンセグ放送は、元来テレビ放送であるため、映像信号と音声信号が対になっているため、ワンセグ放送を受信するモバイル機器も、表示画面と音声を出力するスピーカの両方を備えた、携帯電話等で実用化が進められている。
【０００４】
また、このようなモバイル機器の中には、音声を聞く手段としてスピーカの他に、ヘッドホンを接続できるような機器もある。音声を聞く手段として、スピーカとヘッドホンを選択できるような機器においては、ヘッドホンを接続したときには、スピーカの音声をミュート（消音）し、更にヘッドホン装着時と、ヘッドホン非装着時のそれぞれにおいて、字幕放送の表示／非表示のモードを選択できるようにする技術は、知られている。（例えば、特許文献１）
【特許文献１】特開２００５−３３３５５１  （図５、図６）
【発明の開示】
【発明が解決しようとする課題】
【０００５】
しかしながら、従来の構成では、モバイル機器でテレビ放送を受信するには、スピーカを実装すると筐体がその分大きくなり装置の小型化が難しく、高密度化によりコスト高となってしまう問題点があった。更に、スピーカを駆動するために消費電力も必要になり、携帯用機器では重要となる連続使用時間を長くすることが難しい、という問題点があった。
【０００６】
本発明は、上記事情によりなされたもので、その目的は、本体にスピーカを設けなくても、テレビ放送の視聴を可能とする携帯用テレビ装置を提供することを目的とする。
【課題を解決するための手段】
【０００７】
上記目的を達成するために本発明は、字幕放送を伴ったテレビ放送の受信機能を有し、ヘッドホンを接続することにより音声を聞く携帯用電子機器において、ヘッドホンの接続の有無を検出するヘッドホン接続検出手段と、このヘッドホン接続検出手段で、ヘッドホンの未接続を検出した場合、字幕放送のデータを映像信号のデータに合成する映像合成手段と、この映像合成手段で合成された映像を表示する表示手段とを具備することを特徴とする。
【０００８】
このような構成を有することにより、ヘッドホンが未接続の時であっても、表示部に自動的に字幕表示を行うようにしたため、スピーカがなくてもテレビ放送を視聴することができる。
【発明の効果】
【０００９】
以上説明したように、本発明では、ヘッドホンが未接続の時であっても、表示部に自動的に字幕表示を行うようにしたため、スピーカがなくてもテレビ放送を視聴することができる。
【発明を実施するための最良の形態】
【００１０】
以下、図面を参照して本発明の実施の形態を詳細に説明する。
【実施例１】
【００１１】
図１は、本発明の実施の形態の構成を示す図である。
１は放送局から送信されたテレビ放送波を受信するアンテナ、２はアンテナ１を介して受信した放送波から、選局された放送波の周波数を選局する、チューナー部、３はチューナー部２では受信された受信データから映像、音声、字幕に分割するＤＥＭＡＸ部３である。
【００１２】
更に、４はデータから音声データを生成する音声デコーダー、５は生成された音データを音出力装置に出力するために変換と音量調整を行うオーディオアンプ、６はヘッドホンジャックにヘッドホン７が接続されていることを検出するオーディオ切替えスイッチである。
【００１３】
更に、８は受信データから映像データを生成する映像デコーダー、９は文字放送に関する文字情報データを取り出す字幕用デコーダー、１０はオーディオ切替えスイッチ８からのヘッドホン７の接続／未接続の情報に基づいて字幕表示の有無を制御する字幕表示制御モジュール、１１は字幕表示制御モジュールに制御に基づいて映像データに生成された字幕を合成する映像合成部、１２は映像合成部で合成された映像を表示するモニタ（例えば、ＬＣＤで構成）である。
【００１４】
以下、ヘッドホン７が接続されている時の動作について図２に示す、画面表示例を用いて、説明する。
放送局から送信されたテレビ放送波はアンテナ１を介して、チューナー部２で受信され、選局された放送波の周波数を選局し、映像／音声／字幕データをを受信する。
【００１５】
チューナー部２では受信された受信データは、ＤＥＭＡＸ２で、映像、音声、字幕に分割され、字幕用デコーダー４、映像用デコーダー５、音声用デコーダー６にそれぞれ転送される。
【００１６】
ここで、音声については、音声デコーダー４で音声データが生成され、オーディオアンプ５で、生成された音データを音出力装置に出力するために変換と音量調整を行う。そして、オーディオ切替えスイッチ６に接続された、ヘッドホン７により音声を聞くことができる。
【００１７】
また、映像データは映像デコーダー８で、文字放送に関するデータは字幕用デコーダー９で、それぞれ受信データからを生成する。
この時、字幕表示制御モジュール１０は、オーディオ切替えスイッチ６がヘッドホンジャックにヘッドホン７が接続されていることを検出していることから、映像合成部１１を制御し、字幕データを構成することなく、そのままモニタ１２に出力する。このため、図２に示すように、上部が映像信号で下部が黒色となって表示を行う。
【００１８】
なお、字幕を表示しない場合の表示例は、これに限られず、図３のように、映像信号を垂直方向のほぼ真ん中に表示させて、上下に黒色の部分を配置するようにしてもよい。
【００１９】
次に、ヘッドホン７が未接続の場合の動作を図４を用いて説明する。
このときは、オーディオ切替えスイッチ６がヘッドホンジャックにヘッドホン７が接続されていることを検出し、ヘッドホン７の未接続を示す信号を字幕表示制御モジュール１０に転送する。字幕表示制御モジュール１０は、ヘッドホン７が接続されていないことを認識すると、映像合成部１１を制御し、映像合成部１１が映像信号に字幕データを合成しモニタ１２に出力する。このため、図３に示すように、映像信号の下の部分に字幕が表示されるため、ヘッドホン７による音声がなくても、番組の内容を把握することができる。
【００２０】
以上の構成をとることにより、本体にスピーカを持たない機器であっても、テレビ放送を楽しむことができる。
なお、図１で説明した構成は、テレビ受信に関する部分のみを説明したものであり、必ずしもテレビ受信の専用機器である必要はない。例えば、携帯オーディオプレーヤーに当該構成を追加したものであってもよい。
【００２１】
例えば、スピーカを搭載しない携帯オーディオプレーヤーにワンセグ受信機能を搭載した機器に本実施の形態を適用した場合は、このプレーヤーの音声を聞く手段はヘッドホン７のみとなる。ワンセグ放送を視聴中にヘッドホン７を外してしまうと、放送の音声を聞くことができなくなる。本発明はそのときに自動的に映像と字幕を表示されるため、テレビ放送を楽しむことができる。
【００２２】
また、上記実施の形態では、ヘッドホン７が接続されると自動的に字幕が消えて映像のみの表示になり、モニタに表示される映像とヘッドホン７の音声により、引き続きテレビ放送を楽しむことができるように構成されているが、これに限定されず、ヘッドホン７が未接続の時に字幕が表示されるものであればよい。
【００２３】
例えば、ヘッドホンを抜いたときでも、引き続き字幕が表示されるモードを有し、ユーザの好みに応じ、モードを切り替えて使用できるようにしてもよい。
更に、本願発明は、スピーカを有する携帯電話に用いても効果を発揮するものである。
携帯電話でワンセグ受信機能を搭載した場合は、ワンセグを視聴中に電話がかかってきた時、機器のスピーカは通話用に使われてしまうため、このときワンセグの放送は映像だけで音声を聞くことができなくなってしまう。
【００２４】
このケースで、自動的に映像と字幕を表示できるようにすることにより、通話中は映像と字幕でワンセグを見ることができる。なお、通話が終了すると自動的に通話前の状態（音声付のワンセグ視聴）に戻る。
【００２５】
このように、本願発明は、本体にスピーカを有していても、ある条件のときに、テレビ放送としてスピーカを使えなくなる機器であれば、同様に適用することができる。
【図面の簡単な説明】
【００２６】
【図１】本発明の実施の形態に関わる全体構成を示す図。
【図２】字幕表示を行っていない時の表示画面例。
【図３】字幕表示を行っていない時のその他の表示画面例。
【図４】字幕表示を行っている時の表示画面例。
【符号の説明】
【００２７】
１・・・・・・アンテナ
２・・・・・・チューナー部
３・・・・・・ＤＥＭＡＸ部
４・・・・・・音声デコーダー
５・・・・・・オーディオアンプ
６・・・・・・オーディオ切替えスイッチ
７・・・・・・ヘッドホン
８・・・・・・映像デコーダー
９・・・・・・字幕用デコーダー
１０・・・・・・字幕表示制御モジュール
１１・・・・・・映像合成部
１２・・・・・・モニタ
１３・・・・・・字幕
【図１】
2008011209.tif 000003
【図２】
2008011209.tif 000004
【図３】
2008011209.tif 000005
【図４】
2008011209.tif 000006